(57)【要約】【課題】ベッド枠体の四隅を共通の引掛金具で連結でき、かつ、必要に応じて、脚固定金具を加えて脚を取り付けることのできるベッド用組立金具を提供すること。【解決手段】引掛金具１０は、固定板部１１及び係止板部１２を含む。固定板部１１には、複数のビス孔１３が上下対称に穿孔され、かつ、上下縁には、上下に張り出す鐶状突部が折り曲げられて形成された係止鐶１４が突設されている。係止板部１２には、突出端側から切り込まれてフック溝１５が上下対称に形成されている。脚固定金具２０は、取付板部２１及び保持板部２２を含む。取付板部２１には、固定ボルト挿通孔２３が穿孔されている。保持板部２２の上面にはナット２４が固着され、かつ、下面側からナット２４にねじ軸４１が螺合し得るように貫通孔２５が穿孔されており、さらに、その両側縁には、上方へ突出する係止片２６が設けられている。【選択図】図８
2020000701.tif 000002
【特許請求の範囲】
【請求項１】
引掛金具及び脚固定金具を含むベッド用組立金具であって、
前記引掛金具は、矩形平板状の固定板部及び前記固定板部の一側縁から垂直に突出する平板状の係止板部を含み、
前記固定板部には、複数のビス孔が上下対称に穿孔され、かつ、上下縁には、上下に張り出す鐶状突部が折り曲げられて形成された係止鐶が突設されており、
前記係止板部には、突出端側から切り込まれてフック溝が上下対称に形成されており、
前記脚固定金具は、縦長矩形の取付板部及び前記取付板部の下端縁から前方へ水平に突出する保持板部を含み、
前記取付板部には、固定ボルト挿通孔が穿孔されており、
前記保持板部の上面にはナットが固着され、かつ、下面側から前記ナットにねじ軸が螺合し得るように貫通孔が穿孔されており、さらに、前記保持板部の両側縁には、側方へ張り出す突片が折り曲げて形成され、上方へ突出する係止片が設けられていることを特徴とする、ベッド用組立金具。
【請求項２】
前記固定板部及び係止板部並びに前記取付板部及び保持板部は、それぞれ、鋼板が鉤形に折り曲げられて形成されたものであることを特徴とする、請求項１に記載のベッド用組立金具。
【請求項３】
前記係止鐶は、前記固定板部の前記一側縁と反対側の他側縁側の上下縁に設けられていることを特徴とする、請求項１に記載のベッド用組立金具。
【請求項４】
前記係止片は、前記保持板部の先端両側縁に設けられていることを特徴とする、請求項３に記載のベッド用組立金具。
【発明の詳細な説明】
【技術分野】
【０００１】
本発明は、ベッドを組み立てる際に用いる組立金具に関する。
【背景技術】
【０００２】
一般に、ベッドはベッド枠体（ベッド本体ともいう）を有している。ベッド枠体には、通常、ヘッドボード、フットボード及びヘッドボードの両端とフットボードの両端との間を連結する一対のベッド側板とが含まれる。
組立金具は、ヘッドボード、フットボード及び一対のベッド側板を連結してヘッド枠体に組み立てる際に、ヘッドボードとベッド側板とを連結する為に必要な金具、及びフットボードとベッド側板とを連結する為に必要な金具である。
【０００３】
従来のこの種の組立金具としては、たとえば特許文献１に開示された連結金具やブラケットが公知である。
【先行技術文献】
【特許文献】
【０００４】
【特許文献１】特開２００６−３３４１５６号公報
【発明の概要】
【発明が解決しようとする課題】
【０００５】
従来の連結金具及びブラケットを用いる場合、マットレスの厚さ寸法が変化した場合に、側板を交換することによって、ヘッドボードに対するマットレスの高さ位置を調整することができる。
しかしながら、従来の連結金具及びブラケットでは、フットボード側に脚を取り付けて、ベッド枠体の高さを高くしたい場合等に対応できないという課題がある。
【０００６】
本発明は、係る背景の元になされたもので、ベッド枠体の四隅を共通の引掛金具で連結でき、かつ、必要に応じて、脚固定金具を加えて脚を取り付けることのできるベッド用組立金具を提供することを主たる目的とする。
【課題を解決するための手段】
【０００７】
本発明は、上記目的を達成するために、請求項１記載の発明は、引掛金具及び脚固定金具を含むベッド用組立金具であって、前記引掛金具は、矩形平板状の固定板部及び前記固定板部の一側縁から垂直に突出する平板状の係止板部を含み、前記固定板部には、複数のビス孔が上下対称に穿孔され、かつ、上下縁には、上下に張り出す鐶状突部が折り曲げられて形成された係止鐶が突設されており、前記係止板部には、突出端側から切り込まれてフック溝が上下対称に形成されており、前記脚固定金具は、縦長矩形の取付板部及び前記取付板部の下端縁から前方へ水平に突出する保持板部を含み、前記取付板部には、固定ボルト挿通孔が穿孔されており、前記保持板部の上面にはナットが固着され、かつ、下面側から前記ナットにねじ軸が螺合し得るように貫通孔が穿孔されており、さらに、前記保持板部の両側縁には、側方へ張り出す突片が折り曲げて形成され、上方へ突出する係止片が設けられていることを特徴とする、ベッド用組立金具である。
【０００８】
請求項２記載の発明は、前記固定板部及び係止板部並びに前記取付板部及び保持板部は、それぞれ、鋼板が鉤形に折り曲げられて形成されたものであることを特徴とする、請求項１に記載のベッド用組立金具である。
請求項３記載の発明は、前記係止鐶は、前記固定板部の前記一側縁と反対側の他側縁側の上下縁に設けられていることを特徴とする、請求項１に記載のベッド用組立金具である。
【０００９】
請求項４記載の発明は、前記係止片は、前記保持板部の先端両側縁に設けられていることを特徴とする、請求項３に記載のベッド用組立金具である。
【発明の効果】
【００１０】
本発明によれば、同一形態の引掛金具を用いて、ベッド枠体を容易に組み立てることができる。
また、ベッド枠体の高さを高くしたい場合には、脚固定金具を追加して併用することにより、脚によってベッド枠体の高さを高くすることができる。
【図面の簡単な説明】
【００１１】
【図１】本発明の一実施形態に係る引掛金具１０の斜視図である。
【図２】（Ａ）（Ｂ）（Ｃ）は、それぞれ、引掛金具１０の正面図、右側面図及び平面図である。
【図３】本発明の一実施形態に係る脚固定金具２０の斜視図である。
【図４】（Ａ）（Ｂ）（Ｃ）は、それぞれ、脚固定金具２０の正面図、左側面図及び平面図である。
【図５】ベッド枠体５０を引掛金具１０を用いて組み立てた状態を示す図解的な斜視図である。
【図６】図５に示す引掛金具１０の１つの連結態様を具体的に示す斜視図である。
【図７】ベッド枠体５０を引掛金具１０及び脚固定金具２０を用いて組み立てた状態を示す図解的な斜視図である。
【図８】（Ａ）（Ｂ）（Ｃ）は、それぞれ、引掛金具１０及び脚固定金具２０を用いた連結構造の平面図、正面図及び左側面図である。
【発明を実施するための形態】
【００１２】
以下には、図面を参照して、本発明の実施形態について具体的に説明する。
図１は、本発明の一実施形態に係る引掛金具１０の斜視図である。図２（Ａ）（Ｂ）（Ｃ）は、それぞれ、引掛金具１０の正面図、右側面図及び平面図である。
図１及び図２（Ａ）（Ｂ）（Ｃ）を参照して、引掛金具１０の構成について説明する。
引掛金具１０は、一例として厚み３ｍｍの鋼板（ＳＰＨＣ）が鉤形に折り曲げ加工等されて形成されている。引掛金具１０は、固定板部１１及び係止板部１２を有する。
【００１３】
固定板部１１は矩形平板状で、複数、具体的には一例として５つのビス孔１３ａ〜１３ｅが穿孔されている。ビス孔１３ａは固定板部１１の上下左右方向の中央部に穿孔されており、ビス孔１３ｂ，１３ｃは固定板部１１の上方左右位置に穿孔されており、ビス孔１３ｄ，１３ｅは固定板部１１の下方左右位置に穿孔されている。ビス孔１３ｂ，１３ｃとビス孔１３ｄ，１３ｅとは、中央のビス孔１３ａに対して、上下対称位置に穿孔されている。
【００１４】
固定板部１１は、一例としてベッド枠体を構成するベッド側板の内面端部の所定位置に配置し、各ビス孔１３ａ〜１３ｅを通じて固定ビス３１（図６を参照）をベッド側板に捩じ込むことによって、ベッド側板の内面端部所定位置に固定することができる。
また、固定板部１１に穿孔された５つのビス孔１３ａ〜１３ｅは、上下対称に形成されている。よって、固定板部１１をビス孔１３ａを中心に１８０°回転させ、固定板部１１の左側縁から係止板部１２が突出している取付態様に替えて、固定板部１１の右側縁から係止板部１２が突出している取付態様で、固定板部１１をベッド側板に固定することもできる。
【００１５】
係止板部１２が突出する固定板部１１の左側縁と反対側の右側縁１１１側の上下縁からは、固定板部１１に対して略垂直前方に突出する係止鐶１４が設けられている。係止鐶１４は、固定板部１１の上下縁に上下対称に設けられている。よって、固定板部１１の取付態様が、図１の状態であっても、図１と上下反転された状態であっても、いずれの場合でも、下方に位置する係止鐶１４が機能し得る形態となっている。
【００１６】
各係止鐶１４は、固定板部１１の上縁１１２、下縁１１３からそれぞれ上下に張り出すように型抜きされた鐶状突部が固定板部１１の前方側へ突出するように、直角に折り曲げられることにより構成されている。係止鐶１４は、コ字状の鐶体１４１を有し、鐶体１４１と固定板部１１の上縁１１２又は下縁１１３とによって嵌合窓（嵌合穴）１４５を区画している。下方に位置する係止鐶１４は、その嵌合窓（嵌合穴）１４５内に、後述する脚固定金具の係止片を受け入れて係持する。
【００１７】
係止板部１２は、固定板部１１の一側縁、つまり左側縁から垂直に前方へ突出し、上下に長手の矩形平板状をしている。係止板部１２の上下に延びる先端縁１２１からは、上下対称に、２つのフック溝１５が切り込みによって形成されている。また、２つのフック溝１５自体も、それぞれ、上下対称形状をしている。
具体的には、フック溝１５は、係止板部１２の先端縁１２１から後方へ向かって水平に切り欠かれた所定長さの導入溝１５１と、導入溝１５１の奥側に上下方向に広がるように連なる上嵌合溝１５２及び下嵌合溝１５３を有している。
【００１８】
係止板部１２は、後述するように、例えばヘッドボードにねじ固定された固定ボルト３２（図６を参照）のねじ軸に対してフック溝１５を嵌合させることにより、ベッド側板とヘッドボードとを連結する。
図３は、本発明の一実施形態に係る脚固定金具２０の斜視図である。図４（Ａ）（Ｂ）（Ｃ）は、それぞれ、脚固定金具２０の正面図、左側面図及び平面図である。
【００１９】
図３及び図４（Ａ）（Ｂ）（Ｃ）を参照して、脚固定金具２０の構成について説明する。
脚固定金具２０は、一例として厚み２．５ｍｍの鋼板（ＳＰＨＣ）が鉤形に折り曲げ加工等され、かつ、ナット２４及び三角リブ２７が溶接固着されて形成されている。脚固定金具２０は、取付板部２１及び保持板部２２を含んでいる。
【００２０】
取付板部２１は縦長矩形の平板状で、上下に例えば２個の固定ボルト挿通孔２３が穿孔されている。
保持板部２２は、取付板部２１の下端縁から前方へ水平に突出している。より具体的には、取付板部２１の下方が前方へ９０°折り曲げられることによって保持板部２２が形成されている。保持板部２２の上面のほぼ中央位置には、ナット２４がねじ軸が垂直方向を向く状態で、例えばスポット溶接によって固着されている。そして、保持板部２２には、ナット２４のねじ軸に連通するように、貫通孔２５が穿孔されている。
【００２１】
保持板部２２の左右両側縁２２１，２２２の先端縁２２３側には、左右側方へ張り出す突片が備えられていて、当該突片が上方へ９０°折り曲げられることによって、左右両側縁２２１，２２２から上方へ立ち上がった係止片２６が設けられている。
脚固定金具２０には、さらに、２枚の三角リブ２７が、例えば溶接によって固着されている。そして、三角リブ２７によって、取付板部２１及び保持板部２２が直角形状に保たれ、保持板部２２に脚が取り付けられ、下面側から負荷が加わり続けても、取付板部２１及び保持板部２２の直角状態にゆがみや変化が生じて脚固定金具２０が変形等することがないようにされている。
【００２２】
図５は、ベッド枠体５０を引掛金具１０を用いて組み立てた状態を示す図解的な斜視図である。
ベッド枠体５０は、ヘッドボード５１、フットボード５２及び一対のベッド側板５３を有しており、これらヘッドボード５１、フットボード５２及び一対のベッド側板５３が、４つの引掛金具１０を用いて連結され、ベッド枠体５０として組み立てられている。用いられた４つの引掛金具１０は、全て、前述したものであり、同一の形態をしているものである。
【００２３】
図６は、図５に示す引掛金具１０の連結態様を具体的に示す斜視図である。
図６に示すように、引掛金具１０は、ベッド側板５３の長手方向一端に固定板部１１が固定ビス３１で固定される。その際、係止板部１２の外表面がベッド側板５３の一端縁と面一になるように固定される。
一方、ヘッドボード５１の側端部には、予め受け止めナット（図示せず）が埋設されており、この受け止めナットに固定ボルト３２がねじ込まれている。その際、固定ボルト３２のねじ軸が少し露出するように、固定ボルト３２のねじ頭が浮かされている。
【００２４】
ベッド側板５３とヘッドボード５１との組み立ては、ベッド側板５３に固定された引掛金具１０の係止板部１２のフック溝１５を固定ボルト３２のねじ軸に嵌合させることによって、容易に行える。
引掛金具１０は、上下対称形状をしているので、反対側のベッド側板５３とヘッドボード５１との組み立てには、引掛金具１０を上下反転させて反対側のベッド側板に固定すれば、同じ要領で組み立てを行える。ベッド側板５３とフットボード５２との組み立ても同様である。
【００２５】
図７は、ベッド枠体５０を引掛金具１０及び脚固定金具２０を用いて組み立てた状態の一例を示す図解的な斜視図であり、フットボード５２と一対のベッド側板５３との連結が、引掛金具１０及び脚固定金具２０を用いて達成されている例を示している。
なお、ヘッドボード５１と一対のベッド側板５３との連結は、ヘッドボード５１に埋設された受け止めナットを上下２段階に設け、上段の受け止めナットに固定ボルト３２をねじ込んでおくことにより、ヘッドボード５１の相対的に上方に一対のベッド側板５３が連結されるようにしている。
【００２６】
図８（Ａ）（Ｂ）（Ｃ）は、それぞれ、引掛金具１０及び脚固定金具２０を用いた連結構造の平面図、正面図及び左側面図である。図８（Ａ）（Ｂ）（Ｃ）において、４０は脚であり、４１は脚４０の上端面から突出するねじ軸である。
脚固定金具２０の固定ボルト挿通孔２３に固定ボルト３２を通して、脚固定金具２０を引掛金具１０の係止板部１２と共に重畳して使用することにより、脚固定金具２０の一方の係止片２６が引掛金具１０の下方の係止鐶１４に係合する。よって、引掛金具１０と脚固定金具２０との取付位置関係が安定して保たれる。
【００２７】
また、脚固定金具２０は、脚４０をその下面に支持しており、フットボード５２側の高さを脚４０によって高くすることができる。
なお、図７では、ヘッドボード５１側は、前述した通り、固定ボルト３２の位置を高くすることで、ベッド側板５３の連結位置を高くしているが、ヘッドボード５１側でも、フットボード５２側と同様に、引掛金具１０及び脚固定金具２０を使用して、脚４０によって高さを高くする連結態様とすることもできる。
【００２８】
この発明は、以上説明した実施形態に限られるものではなく、請求項記載の範囲内において、種々の変更が可能である。
【符号の説明】
【００２９】
１０    引掛金具
１１    固定板部
１１１    右側縁
１１２    上縁
１１３    下縁
１２    係止板部
１２１    先端縁
１３ａ，１３ｂ，１３ｃ，１３ｄ，１３ｅ    ビス孔
１４    係止鐶
１４１    鐶体
１４５    嵌合窓（嵌合穴）
１５    フック溝
１５１    導入溝
１５２    上嵌合溝
１５３    下嵌合溝
２０    脚固定金具
２１    取付板部
２２    保持板部
２２１，２２２    左右両側縁
２２３    先端縁
２３    固定ボルト挿通孔
２４    ナット
２５    貫通孔
２６    係止片
２７    三角リブ
３１    固定ビス
３２    固定ボルト
４０    脚
４１    ねじ軸
５０    ベッド枠体
５１    ヘッドボード
５２    フットボード
５３    ベッド側板
【図１】
2020000701.tif 000003
【図２】
2020000701.tif 000004
【図３】
2020000701.tif 000005
【図４】
2020000701.tif 000006
【図５】
2020000701.tif 000007
【図６】
2020000701.tif 000008
【図７】
2020000701.tif 000009
【図８】
2020000701.tif 000010